【手続補正書】
【提出日】平成20年12月18日(2008.12.18)
【手続補正１】
【補正対象書類名】明細書
【補正対象項目名】００１８
【補正方法】変更
【補正の内容】
【００１８】
またユーザが装着した状態において、ユーザの視界方向を被写体方向として撮像するように、前方に向けて撮像レンズ３ａが配置されている。
また撮像レンズ３ａによる撮像方向に対して照明を行う発光部４ａが、例えばＬＥＤ（Light Emitting Diode）等により設けられる。
また、図では左耳側しか示されていないが、装着状態でユーザの右耳孔及び左耳孔に挿入できる一対のイヤホンスピーカ５ａが設けられる。
また右眼用の表示パネル部２ａの右方と、左眼用の表示パネル部２ｂの左方に、外部音声を集音するマイクロホン６ａ，６ｂが配置される。
【手続補正２】
【補正対象書類名】明細書
【補正対象項目名】００２５
【補正方法】変更
【補正の内容】
【００２５】
ところで本例においては、撮像表示装置１、表示装置４０はユーザ（人）が使用することを想定するが、撮像装置３０については、人に限らず各種の移動体に装着されて用いられることが想定されており、移動体とは人を含めて多様に考えられる。上記図２（ａ）のような撮像装置３０は人が装着して、人の視界光景を撮像するものとされた例であるが、人以外の移動体に装着される撮像装置３０も多様に考えられる。
【手続補正３】
【補正対象書類名】明細書
【補正対象項目名】００４８
【補正方法】変更
【補正の内容】
【００４８】
また撮像表示装置１には照明部4と照明制御部１４が設けられる。照明部４は、図１、図２に示した発光部４ａとその発光部４ａ（例えばＬＥＤ）を発光させる発光回路から成る。照明制御部１４は、システムコントローラ１０の指示に基づいて、照明部４に発光動作を実行させる。
照明部４における発光部４ａが図１又は図２に示したように取り付けられていることで、照明部４は撮像レンズ３ａによる被写体方向に対する照明動作を行うことになる。
【手続補正４】
【補正対象書類名】明細書
【補正対象項目名】００５２
【補正方法】変更
【補正の内容】
【００５２】
操作入力部１１は、このように操作子、加速度センサ、角速度センサ、振動センサ、圧力センサ、生体センサ等として得られる情報をシステムコントローラ１０に供給し、システムコントローラ１０はこれらの情報によりユーザの操作を検知する。
【手続補正５】
【補正対象書類名】明細書
【補正対象項目名】００５８
【補正方法】変更
【補正の内容】
【００５８】
この表示装置４０は、図２（ｂ）のような形態でユーザに装着されたり、或いはユーザが所持したり、或いはユーザが家庭や自動車等に設置する機器として所有する機器であり、外部装置（サーバ装置７０）から送信されてくる画像データ／音声データを通信部２６で受信する。そして受信した画像データ／音声データを表示部２，音声出力部５から出力したり、ストレージ部２５において記録する。
システムコントローラ１０は通信動作、表示動作、音声出力動作、記録動作等の制御を行う。
また家庭等に固定的に設置する形態の表示装置を考えた場合、通信部２６は有線接続によりネットワーク通信を行う構成とされても良い。
【手続補正６】
【補正対象書類名】明細書
【補正対象項目名】００６０
【補正方法】変更
【補正の内容】
【００６０】
また表示装置４０には、受信部４１、表示制御部４２、表示部２が設けられる。
受信部４１は、撮像装置３０の送信部２７との間でデータ通信を行う。そして撮像装置３０から送信されてくる画像データを受信し、デコード処理をおこなう。
受信部４１でデコードされた画像データは、表示制御部４２に供給される。表示制御部４２は、画像データについて表示のための信号処理や画面分割、キャラクタ合成等の処理を行って表示用の画像信号を生成し、例えば液晶ディスプレイとされる表示パネル部２ａを有する表示部２に供給する。
表示部２では、表示用の画像信号に応じて、マトリクス状に配置されている表示パネル部２ａの各画素について、それぞれ所定の水平／垂直駆動タイミングで映像信号に基づく駆動信号を印加し、表示を実行させる。
【手続補正７】
【補正対象書類名】明細書
【補正対象項目名】００６６
【補正方法】変更
【補正の内容】
【００６６】
以上、撮像表示装置１、撮像装置３０、表示装置４０、サーバ装置７０の構成を示したが、これらはそれぞれ一例にすぎない。実際に実施されるシステム動作例や機能に応じて各種の構成要素の追加や削除は当然考えられる。また撮像装置３０、撮像表示装置１が搭載（装着）される移動体の別や、表示装置４０の形態（例えば腕時計型、携帯型、据置型など）の別に応じて、それぞれ適切な構成が考えられることはいうまでもない。
【手続補正８】
【補正対象書類名】明細書
【補正対象項目名】００６８
【補正方法】変更
【補正の内容】
【００６８】
システム動作例Ｉを図９、図１０を用いて説明する。
システム動作例Ｉは、装置Ｂ（撮像装置３０又は撮像表示装置１）でリアルタイムで撮像された画像データをサーバ装置７０を介して装置Ａ（表示装置４０又は撮像表示装置１）に転送する動作例である。
この場合、サーバ装置７０は、カメラ位置／速度管理部７４により、各装置Ｂ（装置Ｂを搭載した移動体）の移動速度と現在位置を常時把握しておくようにする。すると装置Ａ側からの速度指定情報及び位置指定情報を受け付けたときに、サーバ装置７０は速度指定情報に基づいて該当する装置Ｂを特定できる。サーバ装置７０は該当の装置Ｂへの画像データ送信を要求する。装置Ｂで撮像された画像データの送信が開始されたら、サーバ装置７０はその画像データを装置Ａ側に転送する。装置Ａでは、サーバ装置７０から受信した画像データを表示する。すると表示装置のユーザは、表示画像として、指定した位置で指定した速度の移動状態で撮像された現在の光景を見ることができる。
【手続補正９】
【補正対象書類名】明細書
【補正対象項目名】００７１
【補正方法】変更
【補正の内容】
【００７１】
システムコントローラ１０は、このような地図画像上では例えば図１４（ｂ）のようにポインタＰＴを表示させ、ポインタＰＴがユーザ操作に基づいて地図画像上で移動されるようにする。即ちユーザは、ポインタＰＴを地図画像上の任意の位置に移動させて、所定の操作を行うことで、地図画像上の特定の位置を指定することができる。
なお、もちろんポインタＰＴによるものではなく、例えば表示部２にタッチパネル操作機能を付加し、地図画像に対してユーザが指でタッチした位置が指定位置となるようにすることもできる。
【手続補正１０】
【補正対象書類名】明細書
【補正対象項目名】００７３
【補正方法】変更
【補正の内容】
【００７３】
さらに装置Ａのシステムコントローラ１０は、ユーザの入力に応じて速度指定情報も生成する。例えばシステムコントローラ１０は、表示部２に図１４（ｃ）のような速度選択画面を表示させる。例えば速度ゼロ（静止状態）や、人の歩行速度である速度６ｋｍ／ｈ未満、人の走行や自転車の通常の走行速度である速度６〜３０ｋｍ／ｈ、さらには自動車等の通常の速度としての３０〜５０ｋｍ／ｈなどを、選択できるようにする。システムコントローラ１０は例えばカーソルＫを各項目に対して表示できるようにし、ユーザの操作に応じてカーソルＫを移動させる。ユーザはカーソルＫの移動操作及び決定操作を行って、自分が望む速度を選択する。もちろんタッチパネル方式で項目が選択されるようにしてもよい。
システムコントローラ１０は、ユーザの選択決定操作に応じて、速度指定情報を設定する。
なお、このような項目選択形式ではなく、システムコントローラ１０は表示部２に例えば図１４（ｄ）のように入力枠Ｗを表示させ、ユーザは速度としての数値を入力できるようにしても良い。
さらには、具体的な数値ではなく、例えば「通常の歩行速度」「自転車の標準速度」「自動車の標準速度」「列車の標準速度」などとして感覚的に分かり易い選択項目を用意し、これらをユーザが選択できるようにしても良い。
システムコントローラ１０は、例えばこのようなユーザ入力に応じて速度指定情報としての特定の速度もしくは速度範囲としての値を確定する。
【手続補正１１】
【補正対象書類名】明細書
【補正対象項目名】００７７
【補正方法】変更
【補正の内容】
【００７７】
ステップＦ３０１では、サーバ制御部７２は、位置指定情報に含まれていた経度・緯度に対して、現在近い位置に居て、かつ移動速度が速度指定情報に該当する撮像表示装置１又は撮像装置３０を、カメラ位置／速度管理部７４に検索させ、或る１つの撮像表示装置１又は撮像装置３０を、今回対象の装置Ｂとして特定する。
速度指定情報及び位置指定情報に基づいて或る撮像表示装置１又は撮像装置３０が今回対象の装置Ｂとして特定されたら、サーバ制御部７２はステップＦ３０２で、当該装置Ｂに対して通信接続要求を行い、通信接続を確立する処理を行う。そして装置Ａからの画像要求を通知する。
【手続補正１２】
【補正対象書類名】明細書
【補正対象項目名】００８９
【補正方法】変更
【補正の内容】
【００８９】
図１２に、速度画像データベースの記録内容を模式的に示す。
速度画像データベースには、装置Ｂとしてのそれぞれの撮像表示装置１や撮像装置３０から送信されてくる画像が、所定単位で１つのエントリ＃１、＃２・・・として登録される。所定単位とは画像データサイズ、再生時間などに応じて上限が決められる単位でも良いし、装置Ｂから画像データが継続的な動画として送信されてくるような場合、撮像位置としての位置情報が変化するポイントで１つの単位が設定されても良い。どのような単位で１つのエントリとしての画像データを区切るかは、装置Ｂからの画像送信態様、送信継続時間、速度画像データベースの管理情報の都合、サーバ装置７０の画像提供サービスの都合などに応じて適宜決められればよい。
【手続補正１３】
【補正対象書類名】明細書
【補正対象項目名】００９１
【補正方法】変更
【補正の内容】
【００９１】
図１１のように装置Ｂとしての撮像表示装置１又は撮像装置３０が、画像データと付加データを送信する動作を行うことで、この図１２のような速度画像データベースに、各地点の画像データが各種速度毎に蓄積されていくことになる。
このように各地点の各速度の撮像画像がサーバ装置７０において蓄積されていくことで、サーバ装置７０は装置Ａのユーザに対して、画像提供サービスを行うことが可能となる。
【手続補正１４】
【補正対象書類名】明細書
【補正対象項目名】０１０６
【補正方法】変更
【補正の内容】
【０１０６】
［６．実施の形態の効果、及び変形例、拡張例］
以上、実施の形態を説明してきたが、上記した装置Ａに相当する撮像表示装置１又は表示装置４０のユーザは、速度と位置を指定することで、その指定した速度及び位置に該当する状態で実際に撮像装置３０で撮像された画像を見ることができる。これにより或る場所で或る速度で移動したときの光景を見て楽しみたい場合や、そのような状況での光景を知りたい場合など、ユーザの多様なニーズに対応できるシステム及び装置を実現できる。
特に移動速度が異なると、実際に人が体感できる光景の印象がかなり異なる点を考えれば、速度を指定して指定速度での移動中に見える光景を体験できるということは、その画像はユーザにとって非常に面白みがあったり、情報として有用であったりする。
また、移動速度１８０ｋｍ／ｈ以上の設定などで、カーレース、バイクレースなどのモータスポーツの観戦も可能とすることができる。
また、車載用のナビゲーションシステムに適用すれば、実際に自動車走行中に見える光景に近い状態で、任意の場所の光景を予め見ることができるようにもすることができ、ユーザへのガイドとして非常に有用である。
なお、移動速度は一般に変動するものであるし、信号などで停止することもあるので、瞬時速度のみならず、一定時間の平均速度やいわゆる標準速度、あるいは最高速度など、多様な速度を用いることが考えられる。例えばサーバ装置７０が管理する装置Ｂの速度情報は、これら瞬時速度、平均速度、標準速度、最高速度などのいずれかでもよいし、或いはこれらの複数を管理できるようにしてもよい。また装置Ａ側においてユーザが指定する速度を、瞬時速度、平均速度、標準速度、最高速度を選択できるようにしてもよい。